(57)【要約】【課題】別の電極を通じた電気的なクロストークに起因して誤った画像内容を画素に付与されるのを防止するダミー電極を有する表示装置を提供する。【解決手段】表示装置は、電子光学媒体２、例えば、電子光学的特性での差（褪色）を無効にするために使用される特別（ダミー）電極15，16のスイッチング特性への容量性の影響が前記の特別電極へ一定の電圧を与えることにより、又は他の基板上へ、特に画像電極の非重複部分上へダミー電極のパターンを与えることにより補償される（超）ねじれネマチック型の液晶表示装置を具える。【選択図】図１
2007334312.tif 000002
【特許請求の範囲】
【請求項１】
電極を設けられた２個の支持板の間に電気光学媒体を具え、これら電極の重複位置において画素を規定する表示装置において、画素規定電極と同じ厚さを実質的に有する特別電極が前記重複位置を除く２個の支持板上の画素規定電極の間に設けられ、主に第１支持板上に存在する前記特別電極は、表示装置を横から見て、他方の支持板上の画素規定電極の間に存在するとともに前記他方の支持板上に存在する特別電極からずれた位置に存在することを特徴とする表示装置。
【請求項２】
請求項１記載の表示装置において、 画素規定電極と同じ厚さを実質的に有する特別電極が他方の支持板上の画素規定電極の間に設けられ、前記特別電極は表示装置を横から見て、第１支持板上の画素規定電極の間に存在する位置に主として存在することを特徴とする表示装置。
【請求項３】
請求項１記載の表示装置において、 支持板のうちの少なくとも一方上の特別電極が画素規定電極とそれに接続された供給電極とにより露出された支持板表面の部分を横切って支持板全部に実質的に延びることを特徴とする表示装置。
【請求項４】
請求項１記載の表示装置において、 支持板のうちの少なくとも一方上の特別電極が他方の支持板上に設けられた画素規定電極へ接続された供給電極の向かい側に延びることを特徴とする表示装置。
【請求項５】
請求項１記載の表示装置において、 特別電極が少なくとも100nmの厚さを有することを特徴とする表示装置。
【請求項６】
請求項１記載の表示装置において、特別電極と画素規定電極とが同じ材料で作られていることを特徴とする表示装置。
【発明の詳細な説明】
【技術分野】
【０００１】
本発明は、電極を設けられた２個の支持板の間に電気光学媒体を具え、これら電極の重複位置において画素を規定する表示装置に関するものである。本発明は、特に少なくとも１個の支持板上の電極が、それらが駆動素子を設けられる画素の範囲を越えて支持板上に延びるような表示装置に関連している。
【０００２】
電気光学媒体は、例えば、液晶材料、特に（超）ねじれネマチック液晶材料である。
【背景技術】
【０００３】
そのような表示装置は、測定装置、計器板、等のための英数字表示に用いられるが、例えばコンピュータの監視スクリーンにも用いられる。
【発明の開示】
【発明が解決しようとする課題】
【０００４】
前述の種類の表示装置は一般に既知である。２個の支持板間の距離が全体を通して同じではないので、超ねじれネマチック液晶表示装置において特に、しかし独占的でなく起こり得る問題は、褪色の現象であり、特にこの距離は２個の画素規定電極の（間の）位置において、電極と電極を設けられてない支持板との（間の）位置における距離と異なる。色差は電極のより大きい厚さにおいて増大するので、電極トラックが例えばチップオングラス（ＣＯＧ）技術を介して、これらの駆動素子を接続するのに良好な接触を保証するために、最小厚さを有さねばならない故に、この問題は少なくとも１個の支持板上の電極が駆動素子を設けられる画素の範囲を越えて支持板上に延びる表示装置においてしばしば起こる。その上、電極を横切る一層少ない電圧降下となり且つもっと一様な表示が得られるので、確実な厚さが有利である。この目的のための最小厚さは約100nmである。
【０００５】
上述の問題をできる限り緩和することがなかんずく本発明の目的である。
【課題を解決するための手段】
【０００６】
この目的のために本発明による表示装置は、画素規定電極と同じ厚さを実質的に有する特別電極が前記重複位置を除く第１支持板上の画素規定電極の間に設けられ、該表示装置が動作中に特別電極へ電圧を供給するための手段を具えていることを特徴とする。
【発明の効果】
【０００７】
画素規定電極の間に特別電極を設けることにより、液晶層の厚さの差及び従って褪色が大幅に低減されることが達成される。その特別電極が電圧を与えられ得るので、画素が特別電極を介して電気漏話による悪い画像内容を与えられることが防止され得る。
【０００８】
電極を設けられた２個の支持板の間に電気光学媒体を具え、これら電極の重複位置において画素を規定し、少なくとも第１支持板上の電極が駆動素子を設けられた画素の範囲を超えて支持板上に延びる本発明による装置は、画素規定電極と同じ厚さを実質的に有する特別電極が前記重複位置を除く第１支持板上の画素規定電極の間に設けられ、該表示装置が動作中に特別電極へ電圧を供給するための手段を具えていることを特徴としている。その特別電極はこの場合には少なくとも100nmの厚さを有している。
【０００９】
例えば外部接続の数が可能な限り制限されねばならないので、特別電極へ電圧を供給することは常に容易に可能ではない。その場合には、本発明による表示装置は、画素規定電極と同じ厚さを実質的に有する特別電極が、第１支持板上の画素規定電極の間へ設けられ、その特別電極は、その表示装置の横から見て他方の支持板上の画素規定電極の間に存在する位置に主として存在していることを特徴としている。これが漏話を制限する。
【００１０】
褪色を回避するための特別（ダミー）電極の設置は本質的に特開平3-290621号公報から既知であるが、ここでその電極が電圧（それらは電気的に絶縁される）を与えられないで、一方漏話を防止するための所定のパターンのいかなる疑問も存在しないことは注意されるべきである。
【００１１】
電極と特別電極とは、好適に同じ材料、例えばインジウム酸化錫で作られる。
【００１２】
付加的な利点はそのような電極の反射防止効果である。
【００１３】
褪色と漏話とを低減するための手段は第１基板上に特別電極を設けることから成るけれども、これらの手段は第２基板へも延ばされ得る。
【００１４】
特別電極が一定電圧を与えられ得る、表示装置の別の実施例は、それ故に、画素規定電極と同じ厚さを実質的に有する特別電極が、他方の支持板上の画素規定電極の間に設けられること、及び該表示装置が動作中に他方の支持板上の特別電極へ電圧を供給するための手段を具えていることを特徴としている。特別電極がパターンを与えられている表示装置の別の実施例は、この時、画素規定電極と同じ厚さを実質的に有する特別電極が前記重複位置を除く第１支持板上の画素規定電極の間に設けられ、前記特別電極は表示装置を横から見て、他方の支持板上の画素規定電極の間に存在する位置に主として存在することを特徴としている。
【００１５】
実際の映像平面の外側の範囲も、その表面全体で最小の厚さ変動を得るように、特別電極を好適に設けられる。
【００１６】
この目的のために、本発明による表示装置の別の実施例は、少なくとも一方の支持板上の特別電極が画素規定電極とそこへ接続された供給電極とにより暴露された支持板表面の部分を横切って支持板全体に実質的に延びていることを特徴としている。
【発明を実施するための最良の形態】
【００１７】
本発明のこれらの態様が、以下に記載される実施例から明らかになるでなろうし、本発明のその他の態様が、以下に記載される実施例を参照して説明されるであろう。
【００１８】
これらの図は図式的であり且つ比例尺ではなくて、対応する部分は一般に同じ参照符号により表されている。
【００１９】
図１、２及び３は、ねじれネマチック液晶材料２、この例においては透明であり且つ、例えばインジウム酸化錫（ＩＴＯ）で作られた電極５、６を設けられた例えばガラスの２個の基板３、４の間に存在する、この例では超ねじれネマチック液晶材料を有する液晶セル１を具えている液晶表示装置の一部分の、図式的な平面図と、図１の線II〜II及びIII〜III上でとった断面図である。この装置は更に、この例ではセルが例えば240°のねじれ角を有するような方法で、基板の内壁上の液晶材料を配向する配向層７、８を具えている。必要な場合は、この装置は更に、インジウム酸化錫とガラスとの間とインジウム酸化錫と配向層との間との双方又はいずれか一方に、１個又は２個の偏光子（図示せず）と慣習的な絶縁層とを具えている。この場合には、液晶材料は正の光学異方性と正の誘電体異方性とを有している。
【００２０】
この表示装置は、更に（図２参照）１個以上の駆動素子10、この例では集積回路（ＩＣ）を具えており、それはチップオングラス技術によって、例えばバンプ11がこれらの導通する電極５と申し分のない導通する接触を確立するような方法で、熱圧縮又ははんだ付けによって電極５へ接続される。導体５に対して示したのと同様に、基板４上の導体をチップオングラス技術によって電極６へ接続することができる。
【００２１】
バンプ11を介して申し分のない電気的接触を得るために、この電極は少なくとも100nmの厚さを有さねばならない。その上、そのような厚さでは、インジウム酸化錫電極の抵抗が表示結果に少しの影響を有する。これは、例えば６μmの支持板の元の距離における液晶の層の厚さが画素の位置においては約5.8μmの厚さを有し、且つ画像電極が支持板の向かい側に配設されている位置では、液晶層は約5.9μmを有し得て且つ画像電極が存在しない位置においては約６μmの元の厚さを有し得ることを意味する。この変動が色差へ導き、その色差は、液晶層２の厚さの変動が低減されるように、電極５、６の間に電極５、６と同じ厚さを実質的に有する特別電極15、16を設けることによりある程度まで補償され得る。加工技術的な理由のために、特別電極15、16は電極５，６と同じ材料で好適に作られる。
【００２２】
しかしながら、実際にはそのような解決法は充分ではないことがわかり、それは図４を参照して更に説明されるであろう。この図は特別電極16が、図１，２に示されたように、間に液晶材料を有する２個の電極５a，５bの向かい側に特別電極16が置かれている状態を示している。この特別電極16と電極５a，５bとの重なり合った部分が表面Ａ1とＡ2とを有すると想定される。電極５a，５bがそれぞれ例えば電圧＋Ｖdと−Ｖdと（それらの電圧はデータグラフィック表示装置において慣習的である）により駆動される場合には、向かい側の（浮動する）特別電極16は、容量性漏話によってＶ＝((Ａ1−Ａ2)/(Ａ1＋Ａ2))×Ｖdの電圧を獲得する。特別電極16と電極５a，５bとの間の電圧差はこの時、Ｖ1＝−２(Ａ2/(Ａ1＋Ａ2))×Ｖd及びＶ2＝−２(Ａ1/(Ａ1＋Ａ2))×Ｖdにそれぞれなる。これらの電圧が液晶材料のしきい電圧を超える場合に、望まれない情報が見えるであろう。本発明によると、前記の容量性漏話を抑制することによりこれが防止され得る。この目的のために、図１、２及び３の実施例においては、特別電極15、16が図式的に示された接続体15′、16′を介して大地へ（図１、２）、又は一定電圧源12（図３）へ接続される。そのような特別電極の動作を可能なかぎり申し分なく保証するために、電極と特別電極との間の距離が可能なかぎり小さく、例えば多くとも100μm、且つ好適には多くとも50μmになるように選ばれる。
【００２３】
例えばレイアウト技術の問題により、又はその他の理由のために特別電極を接続することができない場合には、電極重複の位置における向かい側の支持板上に特別電極を設けないことにより、容量性結合が妨げられてもよい。その時特別電極15、16は図５に例によって示されるようなパターンを獲得する。
【００２４】
勿論、本発明は示された例に制限されないが、（特別電極を大地へ又は一定電圧へ接続し、重複が回避されるようなパターンで特別電極を設ける）前記の手段は他の表示装置に対しても、例えばチップオングラス技術が用いられない薄い厚さのトラック５、６に対して、又はもっと小さいねじれ角を有するねじれネマチック液晶層に対しても適用できる。双方の場合において、画像内容の漏話と影響することと（褪色）による不正確な情報の危険が低減される。本発明は、光学特性の故に層厚さが役割を演ずるその他の電気光学媒体へも適用できる。第２基板上の特別電極16も、（実際の映像平面の外側の）特別電極15と15′とが間に存在する第１基板上の画素規定電極５の形態に対して（破線で示された）電極26により図６に示されているように、実際の映像平面の外側にある、画素規定電極５の向かい側の部分に存在してもよく、一方特別電極（ダミー電極）26は第１基板上に置かれた接続電極５′の向かい側の第２基板上に存在する。
【００２５】
概要において、本発明は電気光学媒体、例えば（超）ねじれネマチック型の液晶表示装置を具えている表示装置を提供し、その装置では電子光学特性（褪色）での差を無効にするために用いられる特別（ダミー）電極のスイッチング特性への容量性の影響が、一定の電圧をその特別電極へ与えることにより、又は他方の基板上へ、特に画像電極の重複していない部分上へダミー電極のパターンを設けることにより補償される。
【図面の簡単な説明】
【００２６】
【図１】本発明による表示装置の一部の図式的な平面図である。
【図２】図１における線II-II上でとった図式的な断面図である。
【図３】図１における線III-III上でとった図式的な断面図である。
【図４】図１の一部分を図式的に示す。
【図５】本発明による別の表示装置の一部分の図式的な平面図である。
【図６】本発明によるもう一つの表示装置の一部分の図式的な平面図である。
【図１】
2007334312.tif 000003
【図２】
2007334312.tif 000004
【図３】
2007334312.tif 000005
【図４】
2007334312.tif 000006
【図５】
2007334312.tif 000007
【図６】
2007334312.tif 000008